(57)【要約】【課題】  従来のゴルフクラブのバランス調整はヘッド側で行うのが一般的で、グリップ側で行う場合は重量の異なるグリップに交換していた。ゴルフグリップのシャフトへの固着は両面テープで接着する方法しかなかった。ゴルフクラブのグリップを短尺にするメリットを活かせるグリップがなかった。【解決手段】ゴルフクラブのグリップエンドにバランス調整のためのウェイト可変でグリップの固定強化のできる固定具を取り付ける。又、この固定具を活用することによってグリップを短尺にできるので今までなかったグリップ手法が可能になり、飛距離アップやゴルフクラブのコントロールが図れる。【選択図】図１
2012045353.tif 000002
【特許請求の範囲】
【請求項１】
ゴルフクラブのバランス調整を行うためのウェイト調整具ならびに、グリップの固定強化のための固定具において、ウェルナットとパッキンとワッシャーとネジを有することを特徴とするウェイト可変のグリップ固定具。
【請求項２】
請求項１に記載のウェイト可変のグリップ固定具を具備し、前記ウェルナットの通し穴およびネジ穴をグリップエンドに有したゴルフグリップ。
【請求項３】
請求項２に記載のウェイト可変のグリップ固定具を具備したゴルフグリップにおいて、短尺を特徴としたゴルフグリップ。
【発明の詳細な説明】
【技術分野】
【０００１】  本発明はゴルフクラブのバランス調整機能とグリップの固定機能を兼ねたウェイト可変のグリップ固定具であり、そのウェイト可変のグリップ固定具を備えたゴルフグリップである。又、グリップの固定機能によってグリップを短尺にして装着可能なので、新しいグリップの握り方によって飛距離アップやゴルフクラブのコントロールが図れることを特徴とした短尺ゴルフグリップである。
【背景技術】
【０００２】  従来よりゴルフクラブのグリップエンドにウェイト機能を持たせたゴルフグリップは特許文献１〜特許文献３に開示されているように、グリップエンドにウェイトを設けたゴルフクラブが提供されている。【０００３】  特許文献１に記載されている実施形態１のウェイト部材の取付けはグリップエンドに備えられた雌ネジにウェイト部材の雄ネジを締結するものであり、実施形態３のウエイト構造体の取付けはグリップエンドに開けられた開口部よりそのウエイト構造体を差し込む構造となっている。【０００４】  特許文献２ならびに特許文献３に記載されているウエイト部材のゴルフクラブのシャフト内への取り付けは接着剤や両面テープを用いる形態となっていてウェイト可変の構造になっていない。【０００３】  ゴルフグリップはシャフトに両面テープと揮発性の溶剤を使って装着するのが唯一の方法である。【０００５】  ゴルフグリップはゴルフのルールにおいて、パターグリップ以外は断面が円形でシャフトの中心軸に対して平行であり均一な形状でなければならず、くびれを設けてはいけないことになっている。ゴルフスイングの練習用のクラブに装着されているような指が収まるような形に作られたグリップはプレーには使用できない。【０００６】  ゴルフクラブのグリップの太さと形状についてはルールに規定されているが、長さの規定はない。ゴルフクラブはスイングのときにグリップ以外のシャフト部分を持ってスイングしても構わない。
【発明の開示】
【先行技術文献】
【特許文献】
【０００７】
【特許文献１】特許４５０７２６６号  公報
【特許文献２】特開２０１０−０００１５５  公報
【特許文献３】特開２０１０−０１７２００  公報
【発明が解決しようとする課題】
【０００８】  特許文献１に記載されている実施形態１のウェイト部材のグリップへの取付けはグリップのグリップエンド部に備えられた雌ネジにウエイト部材に備えられた雄ネジを締結する方法が取られているが、ゴルフグリップは一般的にゴム質系の弾性の素材が使われており雌ネジをグリップエンド部に固定するのが難しく、たとえ雌ネジを固定できたとしてもそこに雄ネジのウェイト部材を取り付けるとシャフトの最端部とグリップエンドの最端部が離れ過ぎ、実際の使用においてゴルフクラブのスイング時は握りの最端部の小指付近が最も力のかかる部分であることを考えると固定強度に疑問がある。
【０００９】  又、特許文献１に記載されている実施形態３のウエイト構造体は任意の重量の鉛テープを構造体に巻きつけてウェイト調整をし、グリップエンドの開口部を通してシャフト内に挿し込む方法を取っているが、挿し込み固定の場合は密着性が重要であるためグリップエンド部の素材が限定される。ゴルフグリップには様々な素材や形状のものがすでにあり、ゴルファーは自分のフィーリングに合うゴルフグリップでウエイト調整できるものを求めている。
【００１０】特許文献２、特許文献３に記載されているグリップエンドに備えられるウェイト部材は、グリップをシャフトに装着する前に必ずシャフト内への締結が必要で、しかも接着剤や両面テープを使用するとなっているので、ゴルファーが自ら安易に取り付けや交換ができない。又、ウェイト重量の変更にあたってはグリップをシャフトから外して交換する必要があり、ウェイトの変更をしながら自分のスイングに合った調整ができない。
【００１１】  ゴルフクラブはヘッドとシャフトとグリップで構成されておりゴルフクラブはそれぞれの重量のバランスを考えて造られているが、ゴルフスイングは人それぞれでありゴルファーは自分のスイングに合ったバランスのゴルフクラブを求めるためにクラブヘッドに鉛を貼ったり、ウェイトを交換したりしてバランスの微調整を行うことがある。
【００１２】  しかしグリップ側でウェイト調整をしようとする場合、グリップに鉛を貼ることはルール上も許されず重量の違うグリップに交換する方法が一般的であり、グリップ側で微調整することが難しかった。ヘッド側とグリップ側の双方でウェイト調整を行うことが出来ればより自分のスイングに合ったバランスのゴルフクラブにすることができる。
【００１３】  ゴルフグリップとシャフトの固着は一般的に両面テープを用いられているが、特に夏の暑い時期に車に積んでおくと熱でテープの固着が緩み固定力が低下することがある。グリップエンド部分はインパクトの衝撃も大きく、固着が緩んだ状態で使用すると次第にグリップの固定力の低下を招きスイングに悪影響を与えるので、グリップそのものは劣化していなくてもグリップの交換をしなければいけないことがあり、グリップの固着力を補う方法が求められていた。
【００１４】  ゴルフクラブのグリップを握るときに利き手の人差し指はトリガーにしてゴルフクラブの挙動をコントロールするのだがアマチュアゴルファーの多くはそれが曖昧になってミスをすることがある。利き手の人差し指を引っ掛ける部分があればクラブをコントロールし易いのだが、ゴルフのルールではグリップにくびれ部分を設けてはいけないことになっており、アマチュアゴルファーのスイングのパワーロスの一因になっていた。
【００１５】  ゴルフのルールではグリップ部分以外を握ってスイングしても構わないので、グリップを短くしてグリップの端に利き手の人差し指を引っ掛けて握ると、特にアマチュアゴルファーに起こりがちなミスショットの軽減に役立つのだが、そういう目的で使用できるグリップは今までなかった。
【００１６】  今までも短尺のゴルフグリップはあったが、単に短くすることによってグリップを軽くしてヘッド側のウエイトバランスを重くするものでしかなく、本件の発明による短尺グリップの活用法である利き手側のグリップの端に人差し指を引っ掛けて握るグリップ方法が可能ものはなかった。
【００１７】  グリップを短尺にした場合に固着面積が少なくなるのでシャフトとグリップの固着力が低下するという問題があり、それを補う固定方法がなかった。
【課題を解決するための手段】
【００１８】  上述した課題を解決すべく本発明は、ゴルフクラブのシャフトとグリップの固定強化と共にゴルフクラブのバランス調整のためのウェイト可変のグリップ固定具であり、そのウェイト可変のグリップ固定具を具備したゴルフグリップである。又、そのウェイト可変のグリップ固定具を具備することによって実現できる短尺グリップである。そのウェイト可変のグリップ固定具に用いる締結部品はウェルナットと称するゴム製のブラインドナットで、頭フランジというツバ部分のある円筒ゴムにナットを埋め込んだ構造をしている。ナット部位をネジ締めすることで円筒のゴム部分が膨んでシャフトの内側に締結するものである。
【００１９】  ウェルナットはデリケートな材質の部材の取付けやモーターなどの振動を伴う部位の締結に用いられる締結部品である。ゴルフクラブのシャフトが中空の円筒体であることや、グリップの材質がゴム質系の弾力のある素材であることから安定した固着力を保つ構造にすることが難しい上に、ゴルフクラブは打撃時に振動を伴う道具であるのでスイングの際に固定具による音や手指に伝わる違和感があってはならず、ゴルフの用具ルール上もプレー中に緩みなどによってゴルフクラブの形状の変化の起こらないようにする必要があることなどを考えると締結部品としてウェルナットが最適であることを発見した。
【００２０】  シャフトの先端部分の内側に差し込まれたウェルナットはワッシャーとネジによってシャフト内に締結され、シャフトとグリップエンドの固定を強化する。又、ネジ締めに用いられるネジをウェイトとして活用することも新しい発想である。ネジの長さを替えることによってウェイトの重量を替えられ、ゴルフクラブの手元側でのウェイト調整が可能になる。ネジはウェルナットと一体となってシャフト内の中心軸上に固定されているので、ゴルフクラブの使用中にウエイトが移動したり緩んだりすることがない。本件発明のウェイト可変のグリップ固定具及びそのウェイト可変のグリップ固定具を具備したゴルフグリップ、そしてそのウェイト可変のグリップ固定具することで実現できた短尺グリップについて第１実施形態〜第３実施形態によって説明する。符号は同じ部分については同一のものを付す。
【００２１】  第１実施形態として、グリップエンドに設ける穴をウェルナットを通せる大きさ程度の穴にする場合はグリップをシャフトに装着している状態のゴルフクラブに取付ることが可能であり、締結部品であるウェルナットおよび、ウェイトとしての役目を持つネジとワッシャーを一体として取替え可能である。グリップエンドからシャフトの内側に挿してネジ締めで締結するだけである。この形態の場合は既にゴルフクラブにグリップを装着している状態であれはドリルでグリップエンドに１３ｍｍ程度の穴を開ければ可能なのでゴルフショップのクラフトマンなどに使用中のゴルフクラブの加工を依頼すれば取付け可能である。ただし未装着のグリップの加工は難しい。
【００２２】  第２実施形態として、グリップエンドに設ける穴をネジ穴程度にする場合はウェルナットをシャフトの内側に挿しておき、グリップを既存のグリップ装着方法による両面テープと揮発性溶剤を用いてシャフトに装着し、グリップエンドとネジの間にワッシャーを挟んでネジ締めで締結する。第２実施形態のメリットは既存のグリップの加工がグリップエンドに設ける穴をネジ穴程度に加工するだけで済むので装着前の未使用のグリップを容易く加工できることである。
【００２３】  第３実施形態として、短尺グリップに本発明の固定具を用いる場合はグリップ先端の開口部が通常の長さのグリップより大きいので、予めウェルナットをグリップの内側に差し込み易いため、グリップの中に内蔵してネジでグリップと一体となった状態で既存のグリップ装着を行うことができる。こればゴルフクラブのシャフトが一般的に末端から１５ｃｍ程度は太さが同じ位に造られており、そのあたりからクラブヘッド側に次第に細くなっているので、それに合わせてグリップの内径も決められているため、１７ｃｍ程の本発明の短尺グリップの場合は内径が通常のサイズのグリップより先端の内径が大きいためである。そのためグリップの装着もし易い。
【００２４】  重量の異なるグリップに挿し替えることによって手元側のウエイト調整を行う場合はグリップ本体の全体に重量配分されるが、本発明の場合はグリップエンドに取付けられるので少ない重量の差異によってウエイト調整を行うことができる上、ウェイトを自由に替えられるので自分に合ったバランスのクラブに調整できる。
【００２５】  ゴルフグリップを握る時に必要な長さは１７ｃｍ程だが、グリップを両手で握れるだけの短尺の長さにして利き手の人差し指をシャフトに引っ掛けることにより、ゴルフスイングにおいてゴルフクラブの挙動をコントロールし易くなる。
【００２６】  ゴルフグリップを短尺にするとグリップの重量が軽くなるが、ネジの長さを替えることでウェイト調整ができる。
【００２７】短尺のゴルフグリップはシャフトとの固着力が低下するが、グリップの固定強化機能があるので短尺にしても使用できる。
【００２８】  夏場の暑い時期に起こりがちな熱によるグリップの固着力の低下を招いた場合でも、グリップの固定強化機能によってグリップエンドの固定が維持できるので、固着力の低下によるグリップ交換の必要がなくなる。
【発明の効果】
【００２９】  以上のように本発明によれば、ゴルフクラブのバランス調整を手元側で誰でも簡単に行うことができるのでゴルファーのスイングや球筋の修正に貢献できる。
【００３０】  ゴルフクラブの設計にあたって、手元側でのウェイト調整が行えることによりクラブヘッドの設計上の自由度を増すことが期待される。
【００３１】  グリップを短尺にすることのメリットとして、特にアマチュアゴルファーに多いスライス球の原因の修正に効果があり飛距離の向上に貢献できる。
【００３２】  本件発明の取付け具に使用するウェルナットはゴム素材であり本来の用途としてモーターやポンプの締結部品として振動を抑制する目的に使われていることから、シャフトの内側に締結することによりゴルフクラブのシャフトの振動を軽減し、打撃の際の衝撃を緩和することができる。
【発明を実施するための最良の形態】
【００３３】  本件発明の実施形態である第１実施形態〜第３実施形態について説明する。ゴルフクラブは図２に示すようにヘッドａ、シャフトｂ、グリップ６で構成されている。本件発明のウェイト可変のグリップ固定具は図２のグリップ６の末端に配置される。（第１〜第３実施形態）【００３４】  本件発明の第１実施形態の構成は、図１に示すように、ウェルナット１とワッシャー４とネジ５とグリップ６で構成されており、図３に示すようにグリップ６のグリップエンド２にはウェルナット１の通せる取付け穴７が設けられている。取付け穴７はウェルナット１がぎりぎり通せる穴の大きさでよく、ウェルナット１の外径が１２．７ｍｍなので１３ｍｍ程度が望ましい。あまり大きい穴にするとウェルナット１の頭フランジ８が１６ｍｍなので頭フランジ部の押さえが利きづらくなる。取付け穴７の最端部にはウェルナットの頭フランジ８が収まるように直径１６ｍｍ、深さ１．３ｍｍの頭フランジ開口部９が設けられており、ワッシャー４の上からウェルナット１にネジ５を差込んでネジ締めする。頭フランジ開口部９は必ずしも設けなくてもよいが、ワッシャー４とグリップの末端１２に頭フランジ８が圧縮されて頭フランジ８の劣化を招くかもしれない。図７に示すように、ネジの頭がワッシャー４に達してネジ締めを強めていくとシャフト内に挿し込まれたウェルナット１のゴム部分１７がネジの頭方向に引き寄せられて短くなることで外径が大きくなりシャフトｂの内側に締結される。ネジ締めを戻すとゴム部分１７の直径も元に戻り何度でも繰り返せる。ネジ締めに用いられるネジ５の長さを替えることでウェイト調整が可能である。ワッシャー４は頭フランジ８より大きい方がよく、グリップの末端１２の直径より小さい方がよい。ワッシャー４の重量を替えてウェイト調整することも可能である。【００３５】  本件発明の第２実施形態の構成は図４に示すように、ウェルナット１とワッシャー４とパッキン３とネジ５とグリップ６で構成されている。第１実施形態との違いはグリップの末端１２に開けられている穴の大きさがネジ５の通せる６ｍｍのネジ通し穴１１にしていることと、ウェルナット１にパッキン３を備えたことである。既存のゴルフグリップのグリップエンドの空気穴は一般的に２〜３ｍｍであるが、その穴を６ｍｍのネジ穴１１に広げるだけの加工を施せば、既存のゴルフグリップを活用できる構造となっている。【００３６】  図４に示すようにウェルナット１とシャフトエンド１０の間にはパッキン３を配置する。シャフトｂがカーボン素材の場合はパッキン３を配置しなくても大丈夫だが、シャフトがスチール素材の場合はシャフトエンド１０の先端で頭フランジ８が切れることがあるので保護の目的により配置する。これはネジ締めでウェルナット１を締結する際に頭フランジ８が切れた場合、ウェイト交換のためにネジ５を取替えるときにウェルナット１がシャフトｂの中に滑落して再締結が出来なくなるのを防ぐためである。パッキン３は硬質樹脂や金属のように比較的硬さがありシャフトエンド１０の先端で切れない程度のものが望ましい。パッキン３のサイズは内径がウェルナット１が通るぎりぎりの大きさで、外径は頭フランジ８の直径に等しいか少し小さい位が望���しい。あまり大きいとグリップが挿入し辛くなる。第１実施形態で示したワッシャー４とネジ５の用途は第２実施形態においても同様とする。【００３７】  本件発明の実施形態において図１に示す、グリップ６とシャフトｂの接着に用いる両面テープ１８の貼り付けは、一般的にはシャフトｂのシャフトエンド１０の開口部を塞ぐように両面テープ１８を貼るのだが、本件発明の実施形態においては両面テープ１８を貼らないようにする。特に第２実施形態において両面テープ１８をウェルナット１の頭フランジ８の上に貼ってしまうと、グリップ装着後にネジ締めする際にネジ５にテープが付着してウェルナット１のネジ締めに支障をきたすからである。【００３８】  本件発明の第３実施形態は図５で示すように、ウェルナット１とワッシャー４とネジ５とグリップ６とグリップキャップ１５の構成となっている。通常ゴルフグリップの長さは２５ｃｍほどあるのだが、本件発明の短尺グリップはグリップを握った両手の幅の１７ｃｍ程としている。これは図６で示すように利き手の人差し指１３や親指１４をグリップの先端１６に引っ掛けて握れる構造にするためであり、グリップの先端１６にはグリップ先端の締め付け強度を高めるために、グリップ６本体の素材よりやや硬質で厚みを持たせたグリップキャップ１５を接着によって取付けている。このグリップキャップ１５の形状はやや丸みがあって指が適度に引っ掛かる形が望ましいがグリップキャップ１５自体の厚みを大きくすることはルール上のグリップの形状の制約に抵触することも考えられるので、グリップ本体の太さを太くして引っ掛けやすい形状にする。【００３９】  図１に示すゴルフクラブのシャフトエンド１０の口径はおおむね外径１５ｍｍと内径１３ｍｍなので、ウェルナット１は外径が１２．７ｍｍ、長さ２６．７ｍｍ、頭フランジ８の直径が１６ｍｍ、の規格サイズのものを用いる。ウェルナット１が長ければ締結力が増すのだが、ウェルナット１の長さが長くなると使用できるネジの長さの最短が長くなる。この程度の長さがあればグリップの固定に充分な締結力が得られるが、ウェルナット１の長さを長くしても構わない。【００４０】  図１に示すネジ締めに用いるネジ５は太さ６ｍｍ、ピッチ１ｍｍの規格サイズのものでよく、グリップの末端１２の厚みを考えると長さ４０ｍｍ以上のものであればウェルナットのネジ締めに使用でき、ネジの長さが２０ｍｍ換算で３ｇの重さを替えられる。ネジの素材を比重の重いものにする場合は換算率が変わる。又、ウェイト調整にはネジ５の長さで変更する方法の他に、ワッシャー４の重さで替えてもよい。【００４１】  ゴルフグリップは一般的にゴム質系の素材で作られているので、図１に示すグリップの末端１２とネジ５の間にはワッシャー４を用いる。ワッシャー４はネジ締めしたときにグリップの末端１２に埋没しない程度の大きさが望ましく、グリップを握ったときに邪魔にならない程度の大きさにすべきである。ワッシャー４の種類は一般的な平ワッシャーでも構わないが、緩み止めを考えるならノルトロックワッシャーなどの座面にくさび加工の施されたワッシャーを用いると緩むことはない。【００４２】  図７に示すようにネジ５をネジ締めすることでウェルナット１のゴ���部分１７が膨らみシャフトｂの内側に締結してグリップエンド２を固定する。ネジ５はボルトを用いても構わない。【００４３】  短尺グリップの活用方法について図６（ａ）（ｂ）で示す。一般的にゴルフグリップの握り方は利き手を下にして握り、その利き手の人差し指はトリガーと称される拳銃の引き金を引く形にしてグリップにあてがわれるのが良いとされている。これはゴルフスイングが遠心力を利用してスイングすることに起因しているのだが、アマチュアゴルファーの多くには利き手の使い過ぎや強く握り過ぎることによってパワーロスを招いていることがあり、本件の発明である短尺グリップの握り方を示す図６（ａ）のように利き手の人差し指１３をグリップの先端１６に引っ掛けるようにして握ることで、利き手を脱力した状態でもゴルフクラブを支持しやすいのでパワーロスを軽減できる。図６（ｂ）は利き手の親指１４をグリップの先端１６に引っ掛けて握った図で、アプローチなどのときにダフリというボールの手前を叩いてしまう現象を軽減したり、ショットの際にフェースターンが上手くできないでパワーロスするゴルファーに効果的な握り方である。
【図面の簡単な説明】
【００４４】
【図１】本発明の第１実施形態を示すウェイト可変のグリップ固定具を具備したグリップを示す一部透視の要部拡大断面図である。
【図２】本発明の実施形態を示すゴルフクラブの構成を表す略図である。（第１〜第３実施形態）
【図３】本発明の第１実施形態を示す分解斜視図である。
【図４】本発明の第２実施形態を示す要部透視斜視図である。
【図５】本発明の第３実施形態である短尺グリップの分解斜視図である。
【図６】本発明の第３実施形態である短尺グリップの使用例の図６（ａ）（ｂ）である。
【図７】本発明のグリップ固定具のシャフト内への締結の様子を示す断面図である。
【符号の説明】
【００４５】  ａ  ヘッド
ｂ  シャフト
１  ウェルナット
２  グリップエンド
３  パッキン
４  ワッシャー
５  ネジ
６  グリップ
７  取付け穴
８  頭フランジ
９  頭フランジ開口部
１０  シャフトエンド
１１  ネジ通し穴
１２  グリップの末端
１３  利き手人差し指
１４  利き手親指
１５  グリップキャップ
１６  グリップの先端
１７  ゴム部分
１８  両面テープ
【図１】
2012045353.tif 000003
【図２】
2012045353.tif 000004
【図３】
2012045353.tif 000005
【図４】
2012045353.tif 000006
【図５】
2012045353.tif 000007
【図６】
2012045353.tif 000008
【図７】
2012045353.tif 000009
【手続補正書】
【提出日】平成22年10月1日(2010.10.1)
【手続補正１】
【補正対象書類名】明細書
【補正対象項目名】全文
【補正方法】変更
【補正の内容】
【発明の詳細な説明】
【技術分野】
【０００１】  本発明はゴルフクラブのバランス調整機能とグリップの固定機能を兼ねたウェイト可変のグリップ固定具であり、そのウェイト可変のグリップ固定具を備えたゴルフグリップである。又、グリップの固定機能によってグリップを短尺にして装着可能なので、新しいグリップの握り方によって飛距離アップやゴルフクラブのコントロールが図れることを特徴とした短尺ゴルフグリップである。
【背景技術】
【０００２】  従来よりゴルフクラブのグリップエンドにウェイト機能を持たせたゴルフグリップは特許文献１〜特許文献３に開示されているように、グリップエンドにウェイトを設けたゴルフクラブが提供されている。【０００３】  特許文献１に記載されている実施形態１のウェイト部材の取付けはグリップエンドに備えられた雌ネジにウェイト部材の雄ネジを締結するものであり、実施形態３のウェイト構造体の取付けはグリップエンドに開けられた開口部よりそのウェイト構造体を差し込む構造となっている。【０００４】  特許文献２ならびに特許文献３に記載されているウェイト部材のゴルフクラブのシャフト内への取り付けは接着剤や両面テープを用いる形態となっていてウェイト可変の構造になっていない。【０００５】  ゴルフグリップはシャフトに両面テープと揮発性の溶剤を使って装着するのが唯一の方法である。【０００６】  ゴルフグリップはゴルフのルールにおいて、パターグリップ以外は断面が円形でシャフトの中心軸に対して平行であり均一な形状でなければならず、くびれを設けてはいけないことになっている。ゴルフスイングの練習用のクラブに装着されているような指が収まるような形に作られたグリップはプレーには使用できない。【０００７】  ゴルフクラブのグリップの太さと形状についてはルールに規定されているが、長さの規定はない。ゴルフクラブはスイングのときにグリップ以外のシャフト部分を持ってスイングしても構わない。
【発明の開示】
【先行技術文献】
【特許文献】
【０００８】
【特許文献１】特許４５０７２６６号  公報
【特許文献２】特開２０１０−０００１５５  公報
【特許文献３】特開２０１０−０１７２００  公報
【発明が解決しようとする課題】
【０００９】  特許文献１に記載されている実施形態１のウェイト部材のグリップへの取付けはグリップのグリップエンド部に備えられた雌ネジにウエイト部材に備えられた雄ネジを締結する方法が取られているが、ゴルフグリップは一般的にゴム質系の弾性の素材が使われており雌ネジをグリップエンド部に固定するのが難しく、たとえ雌ネジを固定できたとしてもそこに雄ネジのウェイト部材を取り付けるとシャフトの最端部とグリップエンドの最端部が離れ過ぎ、実際の使用においてゴルフクラブのスイング時は握りの最端部の小指付近が最も力のかかる部分であることを考えると固定強度に疑問がある。
【００１０】  又、特許文献１に記載されている実施形態３のウエイト構造体は任意の重量の鉛テープを構造体に巻きつけてウェイト調整をし、グリップエンドの開口部を通してシャフト内に挿し込む方法を取っているが、挿し込み固定の場合は密着性が重要であるためグリップエンド部の素材が限定される。ゴルフグリップには様々な素材や形状のものがすでにあり、ゴルファーは自分のフィーリングに合うゴルフグリップでウェイト調整できるものを求めている。
【００１１】特許文献２、特許文献３に記載されているグリップエンドに備えられるウェイト部材は、グリップをシャフトに装着する前に必ずシャフト内への締結が必要で、しかも接着剤や両面テープを使用するとなっているので、ゴルファーが自ら安易に取り付けや交換ができない。又、ウェイト重量の変更にあたってはグリップをシャフトから外して交換する必要があり、ウェイトの変更をしながら自分のスイングに合った調整ができない。
【００１２】  ゴルフクラブはヘッドとシャフトとグリップで構成されておりゴルフクラブはそれぞれの重量のバランスを考えて造られているが、ゴルフスイングは人それぞれでありゴルファーは自分のスイングに合ったバランスのゴルフクラブを求めるためにクラブヘッドに鉛を貼ったり、ウェイトを交換したりしてバランスの微調整を行うことがある。
【００１３】  しかしグリップ側でウェイト調整をしようとする場合、グリップに鉛を貼ることはルール上も許されず重量の違うグリップに交換する方法が一般的であり、グリップ側で微調整することが難しかった。ヘッド側とグリップ側の双方でウェイト調整を行うことが出来ればより自分のスイングに合ったバランスのゴルフクラブにすることができる。
【００１４】  ゴルフグリップとシャフトの固着は一般的に両面テープを用いられているが、特に夏の暑い時期に車に積んでおくと熱でテープの固着が緩み固定力が低下することがある。グリップエンド部分はインパクトの衝撃も大きく、固着が緩んだ状態で使用すると次第にグリップの固定力の低下を招きスイングに悪影響を与えるので、グリップそのものは劣化していなくてもグリップの交換をしなければいけないことがあり、グリップの固着力を補う方法が求められていた。
【００１５】  ゴルフクラブのグリップを握るときに利き手の人差し指はトリガーにしてゴルフクラブの挙動をコントロールするのだがアマチュアゴルファーの多くはそれが曖昧になってミスをすることがある。利き手の人差し指を引っ掛ける部分があればクラブをコントロールし易いのだが、ゴルフのルールではグリップにくびれ部分を設けてはいけないことになっており、アマチュアゴルファーのスイングのパワーロスの一因になっていた。
【００１６】  ゴルフのルールではグリップ部分以外を握ってスイングしても構わないので、グリップを短くしてグリップの端に利き手の人差し指を引っ掛けて握ると、特にアマチュアゴルファーに起こりがちなミスショットの軽減に役立つのだが、そういう目的で使用できるグリップは今までなかった。
【００１７】  今までも短尺のゴルフグリップはあったが、単に短くすることによってグリップを軽くしてヘッド側のウエイトバランスを重くするものでしかなく、本件の発明による短尺グリップの活用法である利き手側のグリップの端に人差し指を引っ掛けて握るグリップ方法が可能ものはなかった。
【００１８】  グリップを短尺にした場合に固着面積が少なくなるのでシャフトとグリップの固着力が低下するという問題があり、それを補う固定方法がなかった。
【課題を解決するための手段】
【００１９】  上述した課題を解決すべく本発明は、ゴルフクラブのシャフトとグリップの固定強化と共にゴルフクラブのバランス調整のためのウェイト可変のグリップ固定具であり、そのウェイト可変のグリップ固定具を具備したゴルフグリップである。又、そのウェイト可変のグリップ固定具を具備することによって実現できる短尺グリップである。そのウェイト可変のグリップ固定具に用いる締結部品はウェルナットと称するゴム製のブラインドナットで、頭フランジというツバ部分のある円筒ゴムにナットを埋め込んだ構造をしている。ナット部位をネジ締めすることで円筒のゴム部分が膨んでシャフトの内側に締結するものである。
【００２０】  ウェルナットはデリケートな材質の部材の取付けやモーターなどの振動を伴う部位の締結に用いられる締結部品である。ゴルフクラブのシャフトが中空の円筒体であることや、グリップの材質がゴム質系の弾力のある素材であることから安定した固着力を保つ構造にすることが難しい上に、ゴルフクラブは打撃時に振動を伴う道具であるのでスイングの際に固定具による音や手指に伝わる違和感があってはならず、ゴルフの用具ルール上もプレー中に緩みなどによってゴルフクラブの形状の変化の起こらないようにする必要があることなどを考えると締結部品としてウェルナットが最適であることを発見した。
【００２１】  シャフトの先端部分の内側に差し込まれたウェルナットはワッシャーとネジによってシャフト内に締結され、シャフトとグリップエンドの固定を強化する。又、ネジ締めに用いられるネジをウェイトとして活用することも新しい発想である。ネジの長さを替えることによってウェイトの重量を替えられ、ゴルフクラブの手元側でのウェイト調整が可能になる。ネジはウェルナットと一体となってシャフト内の中心軸上に固定されているので、ゴルフクラブの使用中にウエイトが移動したり緩んだりすることがない。本件発明のウェイト可変のグリップ固定具及びそのウェイト可変のグリップ固定具を具備したゴルフグリップ、そしてそのウェイト可変のグリップ固定具することで実現できた短尺グリップについて第１実施形態〜第３実施形態によって説明する。符号は同じ部分については同一のものを付す。
【００２２】  第１実施形態として、グリップエンドに設ける穴をウェルナットを通せる大きさ程度の穴にする場合はグリップをシャフトに装着している状態のゴルフクラブに取付ることが可能であり、締結部品であるウェルナットおよび、ウェイトとしての役目を持つネジとワッシャーを一体として取替え可能である。グリップエンドからシャフトの内側に挿してネジ締めで締結するだけである。この形態の場合は既にゴルフクラブにグリップを装着している状態であれはドリルでグリップエンドに１３ｍｍ程度の穴を開ければ可能なのでゴルフショップのクラフトマンなどに使用中のゴルフクラブの加工を依頼すれば取付け可能である。ただし未装着のグリップの加工は難しい。
【００２３】  第２実施形態として、グリップエンドに設ける穴をネジ穴程度にする場合はウェルナットをシャフトの内側に挿しておき、グリップを既存のグリップ装着方法による両面テープと揮発性溶剤を用いてシャフトに装着し、グリップエンドとネジの間にワッシャーを挟んでネジ締めで締結する。第２実施形態のメリットは既存のグリップの加工がグリップエンドに設ける穴をネジ穴程度に加工するだけで済むので装着前の未使用のグリップを容易く加工できることである。
【００２４】  第３実施形態として、短尺グリップに本発明の固定具を用いる場合はグリップ先端の開口部が通常の長さのグリップより大きいので、予めウェルナットをグリップの内側に差し込み易いため、グリップの中に内蔵してネジでグリップと一体となった状態で既存のグリップ装着を行うことができる。これはゴルフクラブのシャフトが一般的に末端から１５ｃｍ程度は太さが同じ位に造られており、そのあたりからクラブヘッド側に次第に細くなっているので、それに合わせてグリップの内径も決められているため、１７ｃｍ程の本発明の短尺グリップの場合は内径が通常のサイズのグリップより先端の内径が大きいためである。そのためグリップの装着もし易い。
【００２５】  重量の異なるグリップに挿し替えることによって手元側のウエイト調整を行う場合はグリップ本体の全体に重量配分されるが、本発明の場合はグリップエンドに取付けられるので少ない重量の差異によってウエイト調整を行うことができる上、ウェイトを自由に替えられるので自分に合ったバランスのクラブに調整できる。
【００２６】  ゴルフグリップを握る時に必要な長さは１７ｃｍ程だが、グリップを両手で握れるだけの短尺の長さにして利き手の人差し指をシャフトに引っ掛けることにより、ゴルフスイングにおいてゴルフクラブの挙動をコントロールし易くなる。
【００２７】  ゴルフグリップを短尺にするとグリップの重量が軽くなるが、ネジの長さを替えることでウェイト調整ができる。
【００２８】短尺のゴルフグリップはシャフトとの固着力が低下するが、グリップの固定強化機能があるので短尺にしても使用できる。
【００２９】  夏場の暑い時期に起こりがちな熱によるグリップの固着力の低下を招いた場合でも、グリップの固定強化機能によってグリップエンドの固定が維持できるので、固着力の低下によるグリップ交換の必要がなくなる。
【発明の効果】
【００３０】  以上のように本発明によれば、ゴルフクラブのバランス調整を手元側で誰でも簡単に行うことができるのでゴルファーのスイングや球筋の修正に貢献できる。
【００３１】  ゴルフクラブの設計にあたって、手元側でのウェイト調整が行えることによりクラブヘッドの設計上の自由度を増すことが期待される。
【００３２】  グリップを短尺にすることのメリットとして、特にアマチュアゴルファーに多いスライス球の原因の修正に効果があり飛距離の向上に貢献できる。
【００３３】  本件発明の取付け具に使用するウェルナットはゴム素材であり本来の用途としてモーターやポンプの締結部品として振動を抑制する目的に使われていることから、シャフトの内側に締結することによりゴルフクラブのシャフトの振動を軽減し、打撃の際の衝撃を緩和することができる。
【発明を実施するための最良の形態】
【００３４】  本件発明の実施形態である第１実施形態〜第３実施形態について説明する。ゴルフクラブは図２に示すようにヘッドａ、シャフトｂ、グリップ６で構成されている。本件発明のウェイト可変のグリップ固定具は図２のグリップ６の末端に配置される。（第１〜第３実施形態）【００３５】  本件発明の第１実施形態の構成は、図１に示すように、ウェルナット１とワッシャー４とネジ５とグリップ６で構成されており、図３に示すようにグリップ６のグリップエンド２にはウェルナット１の通せる取付け穴７が設けられている。取付け穴７はウェルナット１がぎりぎり通せる穴の大きさでよく、ウェルナット１の外径が１２．７ｍｍなので１３ｍｍ程度が望ましい。あまり大きい穴にするとウェルナット１の頭フランジ８が１６ｍｍなので頭フランジ部の押さえが利きづらくなる。取付け穴７の最端部にはウェルナットの頭フランジ８が収まるように直径１６ｍｍ、深さ１．３ｍｍの頭フランジ開口部９が設けられており、ワッシャー４の上からウェルナット１にネジ５を差込んでネジ締めする。頭フランジ開口部９は必ずしも設けなくてもよいが、ワッシャー４とグリップの末端１２に頭フランジ８が圧縮されて頭フランジ８の劣化を招くかもしれない。図７に示すように、ネジの頭がワッシャー４に達してネジ締めを強めていくとシャフト内に挿し込まれたウェルナット１のゴム部分１７がネジの頭方向に引き寄せられて短くなることで外径が大きくなりシャフトｂの内側に締結される。ネジ締めを戻すとゴム部分１７の直径も元に戻り何度でも繰り返せる。ネジ締めに用いられるネジ５の長さを替えることでウェイト調整が可能である。ワッシャー４は頭フランジ８より大きい方がよく、グリップの末端１２の直径より小さい方がよい。ワッシャー４の重量を替えてウェイト調整することも可能である。【００３６】  本件発明の第２実施形態の構成は図４に示すように、ウェルナット１とワッシャー４とパッキン３とネジ５とグリップ６で構成されている。第１実施形態との違いはグリップの末端１２に開けられている穴の大きさがネジ５の通せる６ｍｍのネジ通し穴１１にしていることと、ウェルナット１にパッキン３を備えたことである。既存のゴルフグリップのグリップエンドの空気穴は一般的に２〜３ｍｍであるが、その穴を６ｍｍのネジ穴１１に広げるだけの加工を施せば、既存のゴルフグリップを活用できる構造となっている。【００３７】  図４に示すようにウェルナット１とシャフトエンド１０の間にはパッキン３を配置する。シャフトｂがカーボン素材の場合はパッキン３を配置しなくても大丈夫だが、シャフトがスチール素材の場合はシャフトエンド１０の先端で頭フランジ８が切れることがあるので保護の目的により配置する。これはネジ締めでウェルナット１を締結する際に頭フランジ８が切れた場合、ウェイト交換のためにネジ５を取替えるときにウェルナット１がシャフトｂの中に滑落して再締結が出来なくなるのを防ぐためである。パッキン３は硬質樹脂や金属のように比較的硬さがありシャフトエンド１０の先端で切れない程度のものが望ましい。パッキン３のサイズは内径がウェルナット１が通るぎりぎりの大きさで、外径は頭フランジ８の直径に等しいか少し小さい位が望���しい。あまり大きいとグリップが挿入し辛くなる。第１実施形態で示したワッシャー４とネジ５の用途は第２実施形態においても同様とする。【００３８】  本件発明の実施形態において図１に示す、グリップ６とシャフトｂの接着に用いる両面テープ１８の貼り付けは、一般的にはシャフトｂのシャフトエンド１０の開口部を塞ぐように両面テープ１８を貼るのだが、本件発明の実施形態においては両面テープ１８を貼らないようにする。特に第２実施形態において両面テープ１８をウェルナット１の頭フランジ８の上に貼ってしまうと、グリップ装着後にネジ締めする際にネジ５にテープが付着してウェルナット１のネジ締めに支障をきたすからである。【００３９】  本件発明の第３実施形態は図５で示すように、ウェルナット１とワッシャー４とネジ５とグリップ６とグリップキャップ１５の構成となっている。通常ゴルフグリップの長さは２５ｃｍほどあるのだが、本件発明の短尺グリップはグリップを握った両手の幅の１７ｃｍ程としている。これは図６で示すように利き手の人差し指１３や親指１４をグリップの先端１６に引っ掛けて握れる構造にするためであり、グリップの先端１６にはグリップ先端の締め付け強度を高めるために、グリップ６本体の素材よりやや硬質で厚みを持たせたグリップキャップ１５を接着によって取付けている。このグリップキャップ１５の形状はやや丸みがあって指が適度に引っ掛かる形が望ましいがグリップキャップ１５自体の厚みを大きくすることはルール上のグリップの形状の制約に抵触することも考えられるので、グリップ本体の太さを太くして引っ掛けやすい形状にする。【００４０】  図１に示すゴルフクラブのシャフトエンド１０の口径はおおむね外径１５ｍｍと内径１３ｍｍなので、ウェルナット１は外径が１２．７ｍｍ、長さ２６．７ｍｍ、頭フランジ８の直径が１６ｍｍ、の規格サイズのものを用いる。ウェルナット１が長ければ締結力が増すのだが、ウェルナット１の長さが長くなると使用できるネジの長さの最短が長くなる。この程度の長さがあればグリップの固定に充分な締結力が得られるが、ウェルナット１の長さを長くしても構わない。【００４１】  図１に示すネジ締めに用いるネジ５は太さ６ｍｍ、ピッチ１ｍｍの規格サイズのものでよく、グリップの末端１２の厚みを考えると長さ４０ｍｍ以上のものであればウェルナットのネジ締めに使用でき、ネジの長さが２０ｍｍ換算で３ｇの重さを替えられる。ネジの素材を比重の重いものにする場合は換算率が変わる。又、ウェイト調整にはネジ５の長さで変更する方法の他に、ワッシャー４の重さで替えてもよい。【００４２】  ゴルフグリップは一般的にゴム質系の素材で作られているので、図１に示すグリップの末端１２とネジ５の間にはワッシャー４を用いる。ワッシャー４はネジ締めしたときにグリップの末端１２に埋没しない程度の大きさが望ましく、グリップを握ったときに邪魔にならない程度の大きさにすべきである。ワッシャー４の種類は一般的な平ワッシャーでも構わないが、緩み止めを考えるならノルトロックワッシャーなどの座面にくさび加工の施されたワッシャーを用いると緩むことはない。【００４３】  図７に示すようにネジ５をネジ締めすることでウェルナット１のゴ���部分１７が膨らみシャフトｂの内側に締結してグリップエンド２を固定する。ネジ５はボルトを用いても構わない。【００４４】  短尺グリップの活用方法について図６（ａ）（ｂ）で示す。一般的にゴルフグリップの握り方は利き手を下にして握り、その利き手の人差し指はトリガーと称される拳銃の引き金を引く形にしてグリップにあてがわれるのが良いとされている。これはゴルフスイングが遠心力を利用してスイングすることに起因しているのだが、アマチュアゴルファーの多くには利き手の使い過ぎや強く握り過ぎることによってパワーロスを招いていることがあり、本件の発明である短尺グリップの握り方を示す図６（ａ）のように利き手の人差し指１３をグリップの先端１６に引っ掛けるようにして握ることで、利き手を脱力した状態でもゴルフクラブを支持しやすいのでパワーロスを軽減できる。図６（ｂ）は利き手の親指１４をグリップの先端１６に引っ掛けて握った図で、アプローチなどのときにダフリというボールの手前を叩いてしまう現象を軽減したり、ショットの際にフェースターンが上手くできないでパワーロスするゴルファーに効果的な握り方である。【００４５】
【図面の簡単な説明】
【図１】本発明の第１実施形態を示すウェイト可変のグリップ固定具を具備したグリップを示す一部透視の要部拡大断面図である。
【図２】本発明の実施形態を示すゴルフクラブの構成を表す略図である。（第１〜第３実施形態）
【図３】本発明の第１実施形態を示す分解斜視図である。
【図４】本発明の第２実施形態を示す要部透視斜視図である。
【図５】本発明の第３実施形態である短尺グリップの分解斜視図である。
【図６】本発明の第３実施形態である短尺グリップの使用例の図６（ａ）（ｂ）である。
【図７】本発明のグリップ固定具のシャフト内への締結の様子を示す断面図である。
【符号の説明】
【００４６】  ａ  ヘッド
ｂ  シャフト
１  ウェルナット
２  グリップエンド
３  パッキン
４  ワッシャー
５  ネジ
６  グリップ
７  取付け穴
８  頭フランジ
９  頭フランジ開口部
１０  シャフトエンド
１１  ネジ通し穴
１２  グリップの末端
１３  利き手人差し指
１４  利き手親指
１５  グリップキャップ
１６  グリップの先端
１７  ゴム部分
１８  両面テープ